(57)【要約】【課題】モータの回転移動を抑制し、接続する電線の信頼性を向上させる。【解決手段】ケーシング１１は、モータ９の少なくとも一部を覆うモータカバー１２と、モータカバー１２にモータ９を固定するモータ固定部１３とを有し、モータ固定部１３は、モータカバー１２に固定されるモータ固定板１７と、モータ９の振動伝達を抑制する第１の弾性体１８Ａと、第２の弾性体１８Ｂとを有し、モータ９は、モータカバー１２とモータ固定板１７との間に配置され、第１の弾性体１８Ａは、モータ９の回転軸方向における一方側とモータカバー１２との間に設けられ、第２の弾性体１８Ｂは、モータ９の回転軸方向における他方側とモータ固定板１７との間に設けられ、モータ９とケーシング１１にはモータ９の移動を抑制する移動抑制部材１９を有し、移動抑制部材１９によりモータ９の移動が抑制される。【選択図】図５
2019031922.tif 000002
【特許請求の範囲】
【請求項１】
吸気口と吹出口とを有する本体ケースと、
前記本体ケース内に設けた送風機とを備え、
前記送風機は、
羽根と、
前記羽根を囲むケーシングと、
前記ケーシングに固定されたモータとを有し、
前記ケーシングは、
前記モータの少なくとも一部を覆うモータカバーと、
前記モータを前記モータカバーに固定するモータ固定部とを有し、
前記モータ固定部は、モータ固定板と、第１の弾性体と、第２の弾性体とを有し、
前記モータは、回転軸方向の両側から前記モータカバーと前記モータ固定板で挟むように配置され、
前記第１の弾性体は、前記モータの回転軸方向における一方側と前記モータカバーとの間に設けられ、
前記第２の弾性体は、前記モータの回転軸方向における他方側と前記モータ固定板との間に設けられ、
前記モータと前記ケーシングには前記モータの本体が回転するのを規制する移動抑制部材を有することを特徴とする送風装置。
【請求項２】
前記移動抑制部材は、
前記モータカバーの内壁面から突出し、前記モータ固定板を支持する支持部と、
前記モータから外周方向に突出し、前記モータに電線を接続する接続部とを有し、
前記モータの本体が回転すると前記接続部が前記支持部に当たることを特徴とする請求項１に記載の送風装置。
【請求項３】
前記接続部と前記支持部とは、材質が樹脂であることを特徴とする請求項２に記載の送風装置。
【請求項４】
前記モータカバーは、
前記モータを覆うカバー部と、
前記カバー部から外方に延び、内部に前記電線が配置されたた電線通路を有し、
前記電線通路は、前記支持部から前記モータの回転方向側に第１の距離を有して配置され、
前記接続部は、前記電線通路から前記モータの回転方向側に第２の距離を有して配置され、前記第１の距離は、前記第２の距離より短いことを特徴とする請求項２または３に記載の送風装置。
【発明の詳細な説明】
【技術分野】
【０００１】
本発明は、送風機と羽根を備えた送風装置に関するものである。
【背景技術】
【０００２】
従来、この種の加湿空気清浄装置は、吸気口と吹出口を有する本体ケースと、吸気口と吹出口とを連通する風路に設けた送風部と空気浄化部と加湿部とを備え、加湿部は、水を貯水するトレーと、トレーに水を供給するタンクと、トレーに供給された水に下端が浸漬したフィルターとを備えた加湿空気清浄装置が知られている（特許文献１）。
【先行技術文献】
【特許文献】
【０００３】
【特許文献１】特開２００９−２５０４４８号公報
【発明の概要】
【発明が解決しようとする課題】
【０００４】
近年、この種の加湿空気清浄装置は、就寝時に用いられることも多く、より高い清音性が求められている。また、大風量、高回転数のものが主流となった為、使用領域の広域化に伴う共振ポイントの多岐化対策、羽根のアンバランスによる本体振動対策の必要性が高まっている。
【０００５】
また、最近は、省エネ性向上、細かな速調等の制御の高度化に伴って、ＤＣモータ化が進んでいる。ＤＣモータは、発熱量が比較的低く、弾性体を用いて振動対策を行うことができるようになっている。
【０００６】
このような従来の送風装置においては、送風機に取り付けられたモータが、モータからの振動伝達を抑制する弾性体により固定されると、弾性体が経年劣化することにより、モータが移動し、モータに接続している電線が断線するという課題がある。
【０００７】
そこで本発明は、モータの移動を抑制する送風装置を提供することを目的とする。
【課題を解決するための手段】
【０００８】
そして、この目的を達成するために、本発明は、
吸気口と吹出口とを有する本体ケースと、前記本体ケース内に設けた送風機とを備え、前記送風機は、羽根と、前記羽根を囲むケーシングと、前記ケーシングに固定されたモータとを有し、前記ケーシングは、前記モータの少なくとも一部を覆うモータカバーと、前記モータカバーに前記モータを固定するモータ固定部とを有し、前記モータ固定部は、前記モータカバーに固定されるモータ固定板と、前記モータの振動伝達を抑制する第１の弾性体と、第２の弾性体とを有し、前記モータは、前記モータカバーと前記モータ固定板との間に配置され、前記第１の弾性体は、前記モータの回転軸方向における一方側と前記モータカバーとの間に設けられ、前記第２の弾性体は、前記モータの回転軸方向における他方側と前記モータ固定板との間に設けられ、前記モータと前記ケーシングには前記モータの移動を抑制する移動抑制部材を有することを特徴としたものであり、これにより所期の目的を達成するものである。
【発明の効果】
【０００９】
本発明による送風装置は、
吸気口と吹出口とを有する本体ケースと、前記本体ケース内に設けた送風機とを備え、前
記送風機は、羽根と、前記羽根を囲むケーシングと、前記ケーシングに固定されたモータとを有し、前記ケーシングは、前記モータの少なくとも一部を覆うモータカバーと、前記モータカバーに前記モータを固定するモータ固定部とを有し、前記モータ固定部は、前記モータカバーに固定されるモータ固定板と、前記モータの振動伝達を抑制する第１の弾性体と、第２の弾性体とを有し、前記モータは、前記モータカバーと前記モータ固定板との間に配置され、前記第１の弾性体は、前記モータの回転軸方向における一方側と前記モータカバーとの間に設けられ、前記第２の弾性体は、前記モータの回転軸方向における他方側と前記モータ固定板との間に設けられ、前記モータと前記ケーシングには前記モータの移動を抑制する移動抑制部材を有するものである。
【００１０】
以上の構成により、モータの移動を抑制するという効果を得ることができる。
【図面の簡単な説明】
【００１１】
【図１】本発明の実施の形態１の送風装置を示す斜視図
【図２】同送風装置を示す斜視図
【図３】同送風装置を示す断面図
【図４】同送風装置のモータ固定部を示す展開図
【図５】同送風装置の移動抑制部材を示す拡大図
【図６】同送風装置のモータを固定した状態を示す斜視図
【発明を実施するための形態】
【００１２】
以下、本発明の実施の形態について図面を参照しながら説明する。
【００１３】
（実施の形態１）
図１は、本発明の実施の形態１の送風装置の斜視図であり、送風装置を前面側から見た図である。図２は、本発明の実施の形態１の送風装置の斜視図であり、パネルを開いて送風装置を前面側から見た図である。
【００１４】
図３は、本発明の実施の形態１の送風装置の断面図であり、送風装置を右側から見た図である。
【００１５】
図１、２に示すように、本実施形態の送風装置においては、略箱形状の本体ケース１を備え、本体ケース１の両側面には略四角形状の吸気口２を有している。本体ケース１は、床等の水平面に置かれる。本体ケース１の一方側の側面である第１の本体側面１Ａには、縦長四角形状の開口５を備えている。第１の本体側面１Ａは、本体ケース１の前面側から見て、右側の側面である。本体ケース１の開口５には開閉可能なパネル３を備え、パネル３を開くと開口５から後述する本体ケース１内の加湿部７を取り出すことが出来る。本体ケース１の一方側の側面の吸気口２は、パネル３に設けられている。本体ケース１の天面には、開閉式の吹出口４を備えている。図１、２では、吹出口４は、閉じた状態である。
【００１６】
図２、図３に示すように、本体ケース１内には、送風機６と、加湿部７と、空気清浄部８とを備えている。
【００１７】
送風機６は、本体ケース１の中央部に設けられ、モータ９と、モータ９により回転する羽根１０と、それらを囲むスクロール形状のケーシング１１とを備えている。
【００１８】
羽根１０は、シロッコファンで、モータ９から水平方向に延びたモータ軸（図示せず）に固定され、モータ９は、ケーシング１１に固定されている。
【００１９】
加湿部７は、水を貯水する貯水容器１４と、貯水容器１４に水を供給するタンク部材１
５と、貯水容器１４内の水に一部が浸漬したフィルター部１６とを備えている。貯水容器１４とフィルター部１６は、送風機６より下方に配置されている。
【００２０】
貯水容器１４は、天面を開口した箱形状をしており、水を貯水できる構造となっており、本体ケース１の下部に配置され、本体ケース１から水平方向にスライドして着脱可能となっている。
【００２１】
タンク部材１５は、本体ケース１内部の一方側の側面に設置され、貯水容器１４から着脱可能な構造となっている。
【００２２】
フィルター部１６は、貯水容器１４に貯水された水と、送風機６によって本体ケース１内に吸込まれた室内空気とを接触させる部材である。円筒状に構成され、円周部分に空気が流通可能な孔を備え、その一端が貯水容器１４の水に浸漬するように、フィルター部１６の水平方向に延びた中心軸を回転中心として貯水容器１４に回転自在に内蔵されている。そして、駆動部（図示しない）による回転され、水と室内空気を連続的に接触させる構造となっている。
【００２３】
図３、図４に示すように、ケーシング１１は、モータ９を覆う略椀形状のモータカバー１２と、モータカバー１２にモータ９を固定するモータ固定部１３とを備えている。
【００２４】
図４、図５に示すように、モータ固定部１３は、モータ固定板１７と、固定板支持部２３と、第１の弾性体１８Ａと、第２の弾性体１８Ｂとを備えている。モータ固定板１７は、モータカバー１２との間にモータ９を挟んで、モータ９を固定する。固定板支持部２３は、モータカバー１２にモータ固定板１７を固定するものである。第１の弾性体１８Ａと、第２の弾性体１８Ｂは、モータカバー１２とモータ９、モータ固定板１７とモータ９の間に配置して、モータ９をから発生する振動の伝達を抑制するものである。すなわち、モータ９は、モータカバー１２とモータ固定板１７との間に配置され、第１の弾性体１８Ａは、モータ９の回転軸方向における一方側とモータカバー１２との間に設けられる。そして、第２の弾性体１８Ｂは、モータ９の回転軸方向における他方側とモータ固定板１７との間に設けられている。
【００２５】
モータ固定板１７は、図６に示すように、中心に回転軸を通す円形の孔を有し、外周側には放射状に突出した固定部を有している。固定部の先端には、固定用のねじを通す固定孔（図示せず）が設けられている。
【００２６】
モータ９は、モータ固定板１７とモータカバー１２の間で、第１の弾性体１８Ａと、第２の弾性体１８Ｂとが、弾性変形し、元の形状を維持しようとすることで固定されている。送風装置を長期間使用した場合、第１の弾性体１８Ａと、第２の弾性体１８Ｂのどちらか一方または両方が経年劣化し、モータ９が回転軸を中心とし移動することがある。
【００２７】
一方、モータ９とモータカバー１２は、モータ９が回転軸を中心に回転移動するのを抑制する移動抑制部材１９を備えている。モータ９は、駆動すると接続された羽根車の回転による反動によって、羽根車の回転方向とは反対向きに回転する力が作用する。すなわち、弾性体１８が劣化すると、モータ９は羽根車の回転方向と反対に回転することになる。
【００２８】
モータカバー１２に設けられた移動抑制部材１９は、モータ固定板１７を支持する固定板支持部２３からモータ９の回転軸方向に突出した突起形状の支持部１９Ａである。図６に示すように、固定板支持部２３は、モータカバー１２の内側に設けられている。そして、固定板支持部２３は、モータ固定板１７の端部に設けられた固定孔（図示せず）に対応したねじ穴（図示せず）を有している。
【００２９】
モータ９に設けられた移動抑制部材１９は、モータ９外郭側面から径方向に突出し、電線２０を接続する略直方体形状の接続部１９Ｂである。
【００３０】
このような構成によれば、モータ９が回転軸を中心に回転移動すると、接続部１９Ｂが、支持部１９Ａに当り、モータ９がその位置よりも大きな角度に移動することを抑制するのである。
【００３１】
さらに細部について説明する。モータカバー１２は、モータカバー１２の本体部から径外方向に延びる電線通路２１を備えている。電線通路２１は、内部に電線２０を配線している。電線２０は、モータ９に接続され、モータ９を駆動する電源線、制御線となっている。
【００３２】
支持部１９Ａは、電線通路２１からモータ９の回転方向に対して反対方向側に第１の距離２２Ａを有して配置されている。第１の距離２２Ａは、モータ９の回転軸を中心とした所定の半径の円周上の距離であって、支持部１９Ａと電線通路２１との最短距離である。すなわち、距離を規定する上で、電線通路２１の基準点Ｐは、前述した所定の半径の円周上における支持部１９Ａ側の端部である。
【００３３】
モータ９に設けられた接続部１９Ｂと、電線通路２１との距離は、第２の距離２２Ｂとなっている。言い換えると、第２の距離２２Ｂは、モータ９の回転軸を中心とした前述した所定の半径の円周上の距離であって、接続部１９Ｂと電線通路２１の基準点Ｐとの最短距離である。
【００３４】
そして、第１の距離２２Ａは、第２の距離２２Ｂより短く設定されている。このような構成による作用について説明する。モータ９自体が回転移動すると、接続部１９Ｂが支持部１９Ａに当って、モータ９の移動が抑制された状態となる。この状態において、第１の距離２２Ａは、第２の距離２２Ｂより短いので、電線２０には、過度に引っ張られることなく、電線２０に負荷がかからない構造となっている。従って、電線２０は断線が抑制され、信頼性の高いものとなる。
【００３５】
より詳しく説明する。正規の状態における電線通路２１の出口から接続部１９Ｂまでの電線２０の長さは、電線通路２１の基準点Ｐと接続部１９Ｂとの距離、すなわち、第２の距離２２Ｂに対応したものになっている。一方、接続部１９Ｂが支持部１９Ａに当った状態では、電線通路２１の出口から接続部１９Ｂまでの距離は、電線通路２１の基準点と支持部１９Ａとの距離、すなわち、第１の距離２２Ａに対応したものになっている。このように、電線通路２１の出口から接続部１９Ｂまでの電線２０の長さ（第２の距離２２Ｂ）は、第１の距離２２Ａよりも長くなっているので、接続部１９Ｂが支持部１９Ａに当った状態では、電線通路２１の出口から接続部１９Ｂまでの電線２０は張力のかからない状態となっているのである。従って、より信頼性の高い送風装置が得られるのである。
【００３６】
なお、実施の形態において、加湿空気清浄装置として空気清浄部８、フィルター部１６を設けたが、除湿装置、加湿装置、空気清浄装置としても良い。
【産業上の利用可能性】
【００３７】
この技術は、本体ケース内に送風装置を備えた空気清浄機、加湿機、など空調装置に用いることができる。
【符号の説明】
【００３８】
１    本体ケース
１Ａ    第１の本体側面
２    吸気口
３    パネル
４    吹出口
５    開口
６    送風機
７    加湿部
８    空気清浄部
９    モータ
１０    羽根
１１    ケーシング
１２    モータカバー
１３    モータ固定部
１４    貯水容器
１５    タンク部材
１６    フィルター部
１７    モータ固定板
１８Ａ    第１の弾性体
１８Ｂ    第２の弾性体
１９    移動抑制部材
１９Ａ    支持部
１９Ｂ    接続部
２０    電線
２１    電線通路
２２Ａ    第１の距離
２２Ｂ    第２の距離
２３      固定板支持部
【図１】
2019031922.tif 000003
【図２】
2019031922.tif 000004
【図３】
2019031922.tif 000005
【図４】
2019031922.tif 000006
【図５】
2019031922.tif 000007
【図６】
2019031922.tif 000008